(57)【特許請求の範囲】
【請求項１】
液状のインキを内部に有する有底筒状の本体（１）の開口端の内壁面側に弁機構（２）を設けて、前記弁機構（２）を覆う様に本体（１）の開口端の外壁面側に設けた螺子とホルダー（３）の内壁に設けた螺子が螺子嵌合し、更に前記ホルダー（３）の内部にはペン芯ホルダー（１１）によって嵌着された中継芯（１０）と内部に誘導管を有するペン芯（１２）とからなるペン先（２０）を摺動自在とし、
弁（６）の開口部に嵌着する弁パッキン（５）と、この内部に弁棒（４）と弾性部材（８）を組み込み、弁棒（４）の傘部（７）と弁（６）の底部（９）とで弾性部材（８）を支持し、前記弾性部材（８）により前記弁棒（４）が常に弾発保持されるとともに押圧され前記傘部（７）と前記弁パッキン（５）と押圧当接して気密保持し、インキを必要とするときに前記気密保持は解除可能とした弁機構（２）であり、
前記弁棒（４）の先端には放射状の伝達溝（１５）を有する合成樹脂からなる中継芯（１０）を配して、鍔（１６）を有するペン芯ホルダー（１１）の広開口端側に前記中継芯（１０）を圧入嵌合し、更に細開口端にペン芯（１２）を設けた筆記具において、
前記ペン芯（１２）と中継芯（１０）との間には、インキ溜りの空間（１３）を設けたことを特徴とする筆記具のペン先。
【発明の詳細な説明】
【０００１】
【産業上の利用分野】
本発明は、本体内に液状のインキを設けており、弁機構とこの弁を押圧し摺動するペン先の構成をもつ筆記具のペン先に関するものである。
【０００２】
【従来の技術】
従来、この種の筆記具は数多くの先願がある。例えば、液状のインキを有し弁機構を設けた筆記具もしくは中継芯を使用して細いペン芯へインキを伝達する筆記具の先願は、実公昭３８−５２７号（以下（イ）とする。）、実開昭５８−９７７８号（以下（ロ）とする。）、実開昭５８−９９０８６号（以下（ハ）とする。）、実公昭６４−４５４１号（以下（二）とする。）、実開昭６３−１４４２８４号（以下（ホ）とする。）、実開昭６０−３６２８２号（以下（ヘ）とする。）、実公昭６０−３６４７１号（以下（ト）とする。）がある。
液状のインキを直接本体内部に収容して弁機構を持ち、その上にペン芯を設けペン芯をプッシュすることによりインキを出し、ペン芯に伝達させて筆記可能としている。こうした筆記具は従来より存在し、先願（イ）にもある。また（ハ）、（ニ）も同様である。
こうした筆記具は繊維芯、合成樹脂のペン先であり、繊維芯の場合、外周面がペン芯成形時に樹脂化し外皮を作ってしまい、インキの吸収・伝達はペン芯の後面からペン芯中を通り先端へのみの伝達となっている。
【０００３】
また合成樹脂のペン先は、内部はパイプ状になっているが、その外側を外皮で覆われておりインキの伝達は内部のみである。こうしたインキの伝達であるので、弁より過剰にインキが流出すると外皮を伝ってペン芯中に吸収されないままペン先に向かうので、ボタ落ちやペン先部の汚れとなる。
更に、また繊維芯であるのでインキの伝達に時間を要するため、過剰にペン芯を押圧してしまい弁機構からのインキの過剰流出となる。
（ロ）は、複数の凹溝を放射状に設けたペン芯であり、直接紙等に接触する部分とを別部材としている点は同様である。
しかしながら、（ロ）は図でも明らかな様に凹溝も中心のコア部分も全体的に砲弾状の形状をしており、先端部材とを直接嵌合してホルダーの外側に出してペン先としている。また、ペン芯の凹溝が放射状をしており、凹溝は外周に向かう程広角と成っていること、及び、インキ受け、インキ溜りがないので弁より過剰のインキがペン先及び先端部材まで一気に流れ出て、インキのボタ落ちの原因となる。
本発明の図３にみられるようなパターンは、先願にて存在し特開昭５７−１８８３９８号があるが、これらは外皮をともなったペン芯として使用している。
（ホ）は外皮をともなっており、直接紙等に筆記するペン芯としている。従って本発明とは明らかに構成が異なる。
（ヘ）、（ト）は、中継芯を有する筆記具であるが、この中継芯をポリエステル繊維やアクリル繊維としており、特に筆記具のタイプとしてはインキ吸蔵体にインキを含浸させたものである。こうした構成の中で、ペン先の細い部材へインキを伝達するものであって、本発明の構成とは異なり、インキの伝達はそれぞれの繊維のインキ伝達力によるので過剰なインキの噴出による問題はない。
【０００４】
【発明が解決しようとする課題】
従来の筆記具のペン先には、以上の様に弁機構、中継芯、ペン芯という構成になっているが、中継芯が繊維材や内部をパイプ状とし外側に外皮を設けた合成樹脂ペン芯としているため、ペン芯が細いと特にインキの伝達力、保持力がなく過剰のインキが流れインキのボタ落ち、ペン先の汚れが生じる。また、中継芯が繊維材であるのでインキの伝達に時間を必要とするので、過剰にペン芯をプッシュしてしまいインキが過剰になりボタ落ちの原因となる。こうした中継芯は、外皮をともなっているので中継芯の外周面を伝うインキをそのままペン芯へ過剰のインキを流しインキのボタ落ちやインキ漏れが生じる。したがって、過剰のインキを流さず即座にペン芯へインキを伝達し過剰なインキを流さず、またもし過剰のインキが流れても中継芯に保持力があり、インキを保持しインキのボタ落ち、ペン先の汚れを防止する筆記具のペン先を提供するものである。
【０００５】
【課題を解決するための手段】
液状のインキを内部に有する有底筒状の本体１の開口端の内壁面側に弁機構２を設けて、前記弁機構２を覆う様に本体１の開口端の外壁面側に設けた螺子とホルダー３の内壁に設けた螺子が螺子嵌合し、更に前記ホルダー３の内部にはペン芯ホルダー１１によって嵌着された中継芯１０と内部に誘導管を有するペン芯１２とからなるペン先２０を摺動自在とし、
弁６の開口部に嵌着する弁パッキン５と、この内部に弁棒４と弾性部材８を組み込み、弁棒４の傘部７と弁６の底部９とで弾性部材８を支持し、前記弾性部材８により前記弁棒４が常に弾発保持されるとともに押圧され前記傘部７と前記弁パッキン５と押圧当接して気密保持し、インキを必要とするときに前記気密保持は解除可能とした弁機構２であり、
前記弁棒４の先端には放射状の伝達溝１５を有する合成樹脂からなる中継芯１０を配して、鍔１６を有するペン芯ホルダー１１の広開口端側に前記中継芯１０を圧入嵌合し、更に細開口端にペン芯１２を設けた筆記具において、
前記ペン芯１２と中継芯１０との間には、インキ溜りの空間１３を設けたことを特徴とする筆記具のペン先である。
【０００６】
【作用】
本発明のペン芯１２へのインキ伝達を説明すると、ペン芯ホルダー１１の細開口端よりペン芯１２を露呈したペン芯ホルダー１１をホルダー３より一部露呈しており、その後方にはペン芯ホルダー１１により圧入嵌合固定されている中継芯１０が設けられ、更に後方には弁機構２が設けられている。
弁機構２は弁棒４、弁パッキン５、弁６よりなっており、弁棒４は弾発部材８により弾発支持されており中継芯１０の後端が当接されている。
本体内部にあるインキをペン芯１２に伝達するには、ペン先２０を紙等に押しつける（ペン芯プッシュする）と、中継芯１０は弁棒４を押圧し弁パッキン５のテーパー部１４と弁棒４の傘部７との気密当接を解除しインキを導き出す。
すると、中継芯１０の後端が弁パッキン５内部まで配置されているのでインキは中継芯１０の伝達溝１５を伝ってペン芯ホルダー１１内へ移動する。
またペン芯ホルダー１１の中継芯嵌合部分には鍔１６が設けられているため、中継芯１０の外側を伝達したインキは前記鍔１６によって受けとめられペン芯１２へと伝達していく。こうしてスムーズなインキの移向が得られる。
更に、またペン芯プッシュにより過剰なインキが導き出されるとインキは上記のごとく伝達される。特に中継芯１０の外側を伝いインキはペン芯ホルダー１１の鍔１６で受けとめられ、空間１３にインキが蓄えられペン芯１２へと伝達流出されていく。
【０００７】
【実施例】
本発明の実施例を図１、図２、図３、図４をもとに詳細に説明する。
１は、有底筒状の本体であり、内部に液状のインキを設けている。一方を開口端としており、前記開口端には弁機構２を内壁面側に設け外壁面側を螺子としておりホルダー３を螺子嵌合している。
２は、弁機構であり、弾発部材８、弁棒４、弁パッキン５、弁６より構成されており、弁棒４に設けられた傘部７と弁６の底部９により支持された弾発部材８により弾発保持された弁棒４の前記傘部７と弁パッキン５のテーパー部１３と気密当接保持している。組み付けに際しては、弁６の一方開口端には縁１８が設けられており本体１の開口端と当接しており、更に弾発部材８と弁棒４を組み込み弁６の底部９と弁棒４に設けられたに傘部７によって支持され、前記傘部７は弁パッキン５のテーパー部１４に圧着当接して気密保持している。ここで、弁パッキン５は、弁６の縁１８を設けた開口端より挿嵌されて弁パッキン５にも縁１９を設け前記弁６の縁１８と当接し、ホルダー３の内部に設けられた段部によって圧着されている。
１０は、中継芯であり中心より放射状に伝達溝１５を設けており、前記溝９は外周に近いほど幅が狭い形状をしている。材質は、合成樹脂である。中継芯１０の伝達溝１５は、外周の幅を小さくし鍔１６に導かれたインキまたは、空間１３に蓄えられたインキを毛細管現象により伝達溝１５の中央に蓄えれる。前記中継芯１０の一方端は弁棒４に当接し、他方端は、ペン芯ホルダー１１の広開口端と圧入嵌合している。
【０００８】
１１は、ペン芯ホルダーであり細開口端にはペン芯１２が挿入され接着、もしくは、カシメにより固定されている。ペン先２０は、ペン芯１２、ペン芯ホルダー１１と中継芯１０とからなる。前記ペン芯１２と中継芯１０は、ペン芯ホルダー１１内で空間１３を設けて配置されている。
ペン芯ホルダー１１の広開口端側に鍔１６を設けており、中継芯１０の外周面を伝うインキを受けてペン芯ホルダー内にインキを収容できる。ここで、広開口端を本実施例では円形としているが特にその形状は、円形の中継芯１０に対し、辺で嵌合保持する３角形、４角形、５角形等、多角形とするものでもよい。
また、ホルダー３の内壁面にリブ１７を設ければ、前記鍔１６と前記リブ１７が当接し、摺動を規制し、ペン先２０の飛び出しを防止する。ペン芯１２は金属、合成樹脂等、内部に誘導管を設けたものであれば本発明の対象となる。
本発明の筆記具のペン先を使用する筆記具は、次のように使用され、インキをペン芯１２に伝達する。
ペン芯ホルダー１１の細開口端よりペン芯１２を一部露呈したペン芯ホルダー１１をホルダー３より一部露呈させており、その後方にはペン芯ホルダー１１により圧入嵌合されている中継芯１０が設けられ、更に後方には弁機構２が設けられている。
【０００９】
弁機構２は弁棒４、弁パッキン５、弁６よりなっており、弁棒４は弾発部材８により弾発支持されており中継芯１０の後端が当接されている。
本体内部にあるインキをペン先２０に伝達するには、ペン先２０を紙等に押しつける（ペン芯プッシュする）と、中継芯１０は弁棒４を押圧し弁パッキン５と弁棒４の気密を解除しインキを導き出す。
すると、中継芯１０の後端が弁パッキン内部まで配置されているのでインキは中継芯の伝達溝を伝ってペン芯ホルダー１１内へ移動する。
またペン芯ホルダー１１の中継芯嵌合部分には鍔１６が設けられているため、中継芯１０の外側を伝達したインキは前記鍔１６によって受けとめられペン芯ホルダー１１の内へと伝達していく。こうしてスムーズなインキの移向が得られる。
更に、またペン芯プッシュにより過剰なインキが導き出されるとインキは上記のごとく伝達される。特に中継芯１０の外側を伝いインキはペン芯ホルダー１１の鍔１６で受けとめられ、空間１３にインキが蓄えられペン芯１２へと伝達流出されていく。
更に、中継芯１０の伝達溝１５中にもインキが貯えられ、インキの漏れや汚れを解消する。
【００１０】
【効果】
本発明は、放射状の伝達溝１５を有する合成樹脂中継芯１０とその先端に設けられ、外皮を有しインキの誘導管を有するペン芯１２からなるペン先２０であるのでインキの伝達時間が少なくペン芯プッシュ回数が少なくすむので、過剰なインキ流出が少ないのでボタ落ち、インキ漏れ、ペン先の汚れがない。
また、ペン芯ホルダー１１の広開口端には鍔１６が設けられており中継芯１０の伝達溝１５に導かれない中継芯１０の外周面を伝うインキを前記鍔１６はペン芯ホルダー１１の内部に導きインキ漏れを防止し、更にペン先の摺動運動を規制している。
また、蓄えられたインキと伝達溝１５が中継芯１０の外周へ向かう程、狭くなっているので中継芯１０の外周を伝うインキは、伝達溝１５の内部へ毛細管により吸収されインキ漏れを防止する。
ペン芯ホルダー１１の内部に、ペン芯１２と中継芯１０とで空間１３を設けているのでインキが蓄えられスムーズなインキ伝達が得られる。
【００１１】
【図面の簡単な説明】
【図１】本発明の実施例の一部拡大半断面図
【図２】本発明の実施例のペン先２０の拡大図
【図３】本発明の実施例の中継芯のＡＡ断面図
【図４】本発明の実施例の他の中継芯のＡＡ断面図
【００１２】
【符号の説明】
１：本体
２：弁機構
３：ホルダー
４：弁棒
５：弁パッキン
６：弁
７：傘部
８：弾発部材
９：底部
１０：中継芯
１１：ペン芯ホルダー
１２：ペン芯
１３：空間
１４：テーパー部
１５：伝達溝
１６：鍔
１７：リブ
１８：縁
１９：縁
２０：ペン先
【図１】
0003638993.tif 000002
【図２】
0003638993.tif 000003
【図３】
0003638993.tif 000004
【図４】
0003638993.tif 000005